(57)【要約】【課題】係止腕の一次係止位置を差込コネクタ製造時の付加的な時間消費および付加的な追加部分なしに確認および確保し得るコンタクトハウジングを提供する。【解決手段】錠止部材（７）が第２の錠止突起（２１）を有しており、第２の錠止突起（２１）が錠止部材（７）の錠止位置で、係止腕（５）の、コンタクトチャンバ（２）内に突入した位置からの変位を阻止するようにした。【選択図】図１
2007311346.tif 000002
【特許請求の範囲】
【請求項１】
電気的な差込接続のためのコンタクトハウジング（１）であって、コンタクトチャンバ（２）内に装着開口（３）を通して差込可能なそれぞれ１つのコンタクトボディ（４）を収容するための複数のコンタクトチャンバ（２）と、終端位置までコンタクトチャンバ（２）内に挿入されたコンタクトボディ（４）を一次係止するための、横からコンタクトチャンバ（２）内に突入する弾性的に変位可能なそれぞれ１つの係止腕（５）と、コンタクトボディ（４）の差込方向（６）に対して横方向でスライド可能に案内されたそれぞれ１つの錠止部材（７）とが設けられており、錠止部材（７）がその錠止位置で第１の錠止突起（１６）でもって横からコンタクトチャンバ（２）内に、その中に一次的に係止されたコンタクトボディ（４）を二次錠止するために突入する形式のものにおいて、
錠止部材（７）が第２の錠止突起（２１）を有しており、第２の錠止突起（２１）が錠止部材（７）の錠止位置で、係止腕（５）の、コンタクトチャンバ（２）内に突入した位置からの変位を阻止することを特徴とする、電気的な差込接続のためのコンタクトハウジング。
【請求項２】
係止腕（５）が差込方向とは逆向きに延在する、請求項１記載のコンタクトハウジング。
【請求項３】
第２の錠止突起（２１）がコンタクトボディ（４）の差込方向（６）で第１の錠止突起（１６）よりも奥に延在する、請求項１または２記載のコンタクトハウジング。
【請求項４】
係止腕（５）が第１の錠止突起（１６）の錠止平面を貫く、請求項１から３までのいずれか１項記載のコンタクトハウジング。
【請求項５】
第２の錠止突起（２１）が第１の錠止突起（１６）の錠止平面内に設けられている、請求項４記載のコンタクトハウジング。
【請求項６】
錠止部材（７）が第２の錠止突起（２１）と共にハウジングガイド（２０）内を横方向でスライド可能に案内されている、請求項１から５までのいずれか１項記載のコンタクトハウジング。
【請求項７】
複数のコンタクトチャンバ（２）から成る複数の平行な列（ａ〜ｅ）が設けられており、各列のために、横方向でスライド可能なそれぞれ１つのピン状の錠止部材（７）が設けられており、錠止部材（７）が各コンタクトチャンバ（２）のためにそれぞれ１つの第１および第２の錠止突起（１６，２１）を有している、請求項１から６までのいずれか１項記載のコンタクトハウジング。
【請求項８】
複数のコンタクトチャンバ（２）から成る複数の平行な列（ａ〜ｅ）が設けられており、全列のために、横方向でスライド可能な１つのプレート状の錠止部材（７）が設けられており、錠止部材（７）が各コンタクトチャンバ（２）のためにそれぞれ１つの第１および第２の錠止突起（１６，２１）を有している、請求項１から６までのいずれか１項記載のコンタクトハウジング。
【発明の詳細な説明】
【技術分野】
【０００１】
本発明は、電気的な差込接続のためのコンタクトハウジングであって、コンタクトチャンバ内に装着開口を通して差込可能なそれぞれ１つのコンタクトボディを収容するための複数のコンタクトチャンバと、終端位置までコンタクトチャンバ内に挿入されたコンタクトボディを一次係止するための、横からコンタクトチャンバ内に突入する弾性的に変位可能なそれぞれ１つの係止腕と、コンタクトボディの差込方向に対して横方向でスライド可能に案内されたそれぞれ１つの錠止部材とが設けられており、錠止部材がその錠止位置で第１の錠止突起でもって横からコンタクトチャンバ内に、その中に一次的に係止されたコンタクトボディを二次錠止するために突入する形式のものに関する。
【背景技術】
【０００２】
今日、自動車分野の電気的な差込接続では、個々のコンタクトを第１の作業工程で電気的な線路に当て付け、第２の作業工程でコネクタのコンタクトチャンバ内に係止するコンタクトシステムが使用される。その際、とりわけ「クリーンボディコンタクト（Ｃｌｅａｎ−Ｂｏｄｙ−Ｋｏｎｔａｋｔ）」が使用される。このコンタクトシステムにおいて、コンタクトチャンバの部材はコンタクトの切欠きもしくはアンダカット内にばね弾性的に進入し、こうしてコンタクトを一次的に係止する。マルチピースのコンタクトチャンバシステムでは、クリーンボディコンタクトのための２つの一次係止タイプが知られている。両事例で、係止腕はその係止フックと共に一般にコンタクト支持体下側部分内にコンタクトチャンバ壁の部分として射出成形される。第１の係止タイプは、係止腕がコンタクト肩部の高さでコンタクトチャンバ壁に結合されており、係止フックが、コンタクト開口の近傍に設けられたコンタクトアンダカット内に係入することにより特徴付けられている。この係止腕はいわば差込方向で延び、保持時に実質的に軸方向で圧縮負荷される。第２の係止タイプは、係止腕がコンタクト開口の高さでコンタクトチャンバ壁に結合されており、係止フックがコンタクト肩部上に係合するか、またはコンタクト肩部の近傍に設けられた相応の開口内に係入することにより特徴付けられている。この係止腕はいわば差込方向とは逆向きに延び、保持時に実質的に軸方向で引張負荷される。機能信頼性を高めるために、次第に顧客サイドから、コンタクトの組立後に係止腕の位置を確認することにより、係止フックの正確な一次係止を保証することが求められるようになってきた。第１の係止タイプのために既に、プラスチックから成る「スペーサ部材（Ｓｐａｃｅｒ−Ｅｌｅｍｅｎｔ）」が知られている。スペーサ部材はコネクタ端面から係止腕の背面とその後に位置する壁との間に挿入される。係止腕が、例えば完全にコンタクト内に係止されていないために、正確な位置に存在していなければ、スペーサ部材はブロック、つまり阻止される。コンタクトの装着状態は点検されなければならない。スペーサ部材が完全に挿入されているとき、スペーサ部材は一次係止の改めての（一般には管理下にない）解放を阻止する。それにより、係止腕の位置は固定されている。
【０００３】
そのようなスペーサ部材の一般的な欠点は、一次係止フックの検査のために付加的な部分が差込接続部内に必要とされる点にある。このことは差込接続部全体の追加コストを意味する。第２の係止タイプのために、今現在、係止腕の位置確認および位置確保を可能にする比較可能なスペーサシステムは知られていない。
【０００４】
多極の差込接続部のコンタクトチャンバにおいて、一般に、一次的に係止されたコンタクトは付加的に、「二次錠止（Ｓｅｋｕｎｄａｅｒｖｅｒｒｉｅｇｅｌｕｎｇ）」により、コンタクトチャンバ内でのその正確な位置に関して検査され、一次係止の失陥時に付加的にその正確な差込深さに確保される。多極の差込接続部では、その際、多くの事例で、予め組み付けられ横方向でスライド可能な二次錠止プレートが使用される。二次錠止プレートは解除位置でまず、コンタクトチャンバ内へのコンタクトの妨害されない装着を許可し、次いで装着プロセスの終わりに、コンタクトチャンバ幅の少なくとも半分だけコンタクトチャンバ軸線に対して横方向でスライドされる。横からコンタクトチャンバ内に張り出した錠止輪郭により、二次錠止プレートはその際一方ではコンタクトの正確な差込深さを確認し、他方では付加的な錠止を保証する。
【発明の開示】
【発明が解決しようとする課題】
【０００５】
本発明の課題は、係止腕の一次係止位置を差込コネクタ製造時の付加的な時間消費および付加的な追加部分なしに確認および確保し得るコンタクトハウジングを提供することである。
【課題を解決するための手段】
【０００６】
上記課題を解決した本発明の構成によれば、錠止部材が第２の錠止突起を有しており、第２の錠止突起が錠止部材の錠止位置で、係止腕の、コンタクトチャンバ内に突入した位置からの変位を阻止するようにした。
【０００７】
本発明の別の有利な構成では：
−係止腕が差込方向とは逆向きに延在する；
−第２の錠止突起がコンタクトボディの差込方向で第１の錠止突起よりも奥に延在する；
−係止腕が第１の錠止突起の錠止平面を貫く；
−第２の錠止突起が第１の錠止突起の錠止平面内に設けられている；
−錠止部材が第２の錠止突起と共にハウジングガイド内を横方向でスライド可能に案内されている；
−複数のコンタクトチャンバから成る複数の平行な列が設けられており、各列のために、横方向でスライド可能なそれぞれ１つのピン状の錠止部材が設けられており、錠止部材が各コンタクトチャンバのためにそれぞれ１つの第１および第２の錠止突起を有している；
−複数のコンタクトチャンバから成る複数の平行な列が設けられており、全列のために、横方向でスライド可能な１つのプレート状の錠止部材が設けられており、錠止部材が各コンタクトチャンバのためにそれぞれ１つの第１および第２の錠止突起を有している；
ようになっている。
【発明の効果】
【０００８】
本発明は、二次錠止のための錠止部材（二次錠止プレートもしくは二次錠止ピン）に、二次錠止のアクティブ化と同時に係止腕の正確な一次係止位置を確認すると共に、これを確保するそれぞれ１つの第２の錠止突起（スペーサ部材）を設けることを提案する。これにより、ケーブルハーネスの製造時のかなりの機能信頼性が、付加的なコスト（例えば追加部分によるコスト）を甘受することなく獲得される。さらに、正確なコンタクトポジションに関する原理的に互いに無関係の２つの確認作業が、唯一の部材（錠止部材）の唯一の運動で、ケーブルハーネス製造時の付加的な時間消費を招くことなく実施されるようになる。
【０００９】
係止腕が二次錠止平面下に位置する構成では、スペーサ部材はコンタクトの差込方向で二次錠止平面を超えて一次係止腕まで延在する。スペーサ部材は、装着プロセス中、すなわち錠止部材の解除位置では、係止腕の無制限の変位を許可し、二次錠止の閉鎖時には、まず係止腕の上側の部分の背後に挿入されるように配置および寸法設定されている。それにより、二次錠止が閉鎖されている限り、一次係止の意図しない解放（電気的な線路の引張時）は阻止され得る。係止腕が完全に係止されていなければ、スペーサ部材は錠止部材の閉鎖時に管理下で係止腕の側面に衝突する。スペーサ部材はそこで阻止され、閉鎖力の力上昇により不正確な一次係止位置を示唆する。
【００１０】
係止腕が二次錠止平面を貫く構成では、係止腕の周りで錠止部材内に切り欠かれた輪郭は、コンタクト装着中、すなわち錠止部材の解除位置で、係止腕の完全な変位を支援する。錠止位置で係止腕はスペーサ部材により阻止されている。
【００１１】
本発明の対象の別の利点および有利な構成は明細書、図面および特許請求の範囲から見て取れる。
【００１２】
本発明によるコンタクトハウジングの２つの実施例を図示し、以下に詳説する。
【発明を実施するための最良の形態】
【００１３】
電気的な差込接続のための、図１に示したコンタクトハウジング１は、コンタクトチャンバ２内に装着開口３を通して差込可能なそれぞれ１つのコンタクトボディ（コンタクト）４を収容するための、相並んで配置された５列ａ〜ｅのコンタクトチャンバ２と、終端位置までコンタクトチャンバ２内に挿入されたコンタクトボディ４を一次係止するためのそれぞれ１つの係止腕５と、コンタクトチャンバ２内に一次的に係止されたコンタクトボディ４を二次錠止するための、コンタクトボディ４の差込方向６に対して横方向で、隣接する２つのコンタクトチャンバ２間をスライド可能に案内されるそれぞれ１つの錠止部材７とを有している。
【００１４】
コンタクトボディ４は、電気的な線路９の一区分が固く結合されているクリンプ領域（圧着領域）８を有しており、クリンプ領域８を除いて方形の横断面を有している。コンタクトボディ４の側壁には係止切欠き１０が設けられている。
【００１５】
ロッキングエレメントとも呼ばれる錠止部材７は、ハウジング下側部分１１とハウジング上側部分１２との間でスライド可能に案内されている。係止腕５はハウジング下側部分１１に一体的に形成されており、コンタクトチャンバ２の左側のチャンバ壁を形成する。コンタクトチャンバ２の右側のチャンバ壁は、ハウジング下側部分１１の定置の仕切り壁１３により形成されている。係止腕５は差込方向６とは逆向きに延在し、弾性的に変位可能な自由端に係止フック１４を有している。係止フック１４は横からコンタクトチャンバ２内に突入する。ハウジング上側部分１２内には、隣接する２つのコンタクトチャンバ２間に、それぞれ１つの仕切り壁１５が設けられている。錠止部材７はその錠止位置で第１の錠止突起１６でもって横からそれぞれ右側のコンタクトチャンバ２内に突入し、横方向にずらされた解除位置で、コンタクトボディ４を差し込むためのコンタクトチャンバ２を開放する。図１の列ａ〜ｄにはそれぞれ、解除位置にある錠止部材７が示され、列ｅには、錠止位置にある錠止部材７が示されている。錠止部材７は、第１の錠止突起１６とは反対側の左面でもって、その都度左側のチャンバ２内に、コンタクトボディ４のためのガイド面１７を形成し、錠止突起１６側の右面でもって、その都度右側のコンタクトチャンバ２内に、やはりコンタクトボディ４のためのガイド面１８を形成する。錠止部材７の両ガイド面１７，１８はそれぞれ仕切り壁１３，１５および係止腕５と同じ平面にある。
【００１６】
下面に設けられたガイドキー１９により、錠止部材７はハウジング下側部分１１のガイド溝２０内で横方向でスライド可能に案内されている。ガイドキー１９は第２の錠止突起２１（スペーサ部材）を有している。第２の錠止突起２１はコンタクトボディ４の差込方向６で第１の錠止突起１６よりも奥に延在する。図１に示した錠止位置（列ｅ）で、錠止部材７は第２の錠止突起２１でもって係止腕５の背後に挿入されている。係止腕５はそれにより、コンタクトチャンバ２内に突入した位置からの変位を阻止されている。解除位置（列ａ〜ｄ）で、第２の錠止突起２１は係止腕５の背後にない。係止腕５はそれゆえ、コンタクトチャンバ２内に突入した位置から変位可能である。
【００１７】
コンタクトハウジング１へのコンタクトボディ４の装着について以下に、それぞれ装着プロセスの時間的な経過を示す列ａ〜ｅを参照しながら説明する。
【００１８】
列ａで錠止部材７はその解除位置にある。コンタクトボディ４はハウジング上側部分１２の装着開口３から２つの仕切り壁１５の間を通してコンタクトチャンバ２内に差し込まれる。列ｂおよび列ｃでコンタクトボディ４はさらなる差込により錠止部材７間でも案内されるようになり、係止フック１４に乗り上げる。それにより、係止腕５は弾性的に、さらなる差込により係止フック１４が最終的にコンタクトボディ４の係止切欠き１０内に係入するもしくは係止される（列ｄ）まで変位される。さらに、錠止部材７はその錠止位置へと横方向でスライドされる（列ｅ）。錠止位置で、第１の錠止突起１６はコンタクトボディ４の肩部２２に、差込方向６で見てその背後に回り込むような形で係合し、第２の錠止突起２１は係止腕５の背後に存在する。それにより、コンタクトボディ４は差込方向６とは逆向きに二次的に錠止され、係止腕５は、コンタクトボディ４を一次的に係止した位置に確保されている。
【００１９】
各列ａ〜ｅは複数のコンタクトチャンバ２を有している。その際、列毎に唯一のピン状の錠止部材７が設けられている。図２に示すように、錠止部材７は各コンタクトチャンバ２のためにそれぞれ１つの第１および第２の錠止突起１６，２１を有している。装着プロセスの終わりに、錠止部材７は、列ａ〜ｄに示した解除位置から、コンタクトチャンバ幅の半分だけ、コンタクトチャンバ軸線に対して横方向で、列ｅに示した錠止位置へとスライドされる。錠止部材７はそれによりその第１の錠止突起１６でもって一方ではコンタクトボディ４の正確な差込深さを確認し、他方では付加的な（二次的な）錠止を保証する。錠止部材７はさらにその第２の錠止突起２１でもって係止腕５の正確な一次係止位置を確認し、かつ付加的にその錠止を保証する。
【００２０】
図１に示したコンタクトハウジングと図３に示したコンタクトハウジングとは、図３に示した実施例では係止腕５が、上方に延長された自由端でもって、錠止部材７の切欠き２３内に係入する点でのみ相違する。錠止部材７（列ａ〜ｄ）の解除位置で、切欠き２３はコンタクトチャンバ２からの係止腕５の変位を許可し、錠止位置（列ｅ）で、係止腕５は、切欠き２３を側方で制限する第２の錠止突起２１により、コンタクトチャンバ２内に突入した位置からの変位を阻止される。
【００２１】
図４は、背景技術で公知のコンタクトハウジング１０１を示す。コンタクトハウジング１０１へのコンタクトボディ４の装着について以下に、それぞれ装着プロセスの時間的な経過を示す列ａ〜ｅを参照しながら説明する。
【００２２】
列ａで錠止部材１０７はその解除位置にある。コンタクトボディ４は装着開口１０３からハウジング上側部分１１２の２つの仕切り壁１５の間を通してコンタクトチャンバ１０２内に差し込まれる。列ｂおよび列ｃでコンタクトボディ４はさらなる差込により２つの錠止部材１０７のガイド面１１７，１１８間でも案内されるようになり、係止フック１１４に乗り上げる。それにより、係止腕１０５は弾性的に、さらなる差込により係止フック１１４が最終的にコンタクトボディ４の係止切欠き１０内に係入するもしくは係止される（列ｄ）まで変位される。さらに、錠止部材１０７はその錠止位置へと横方向でスライドされる。錠止位置で、錠止突起１１６はコンタクトボディ４の肩部２２に、差込方向６で見てその背後に回り込むような形で係合し、それによりコンタクトボディ４は差込方向６とは逆向きに錠止されている（列ｅ）。列ｄおよび列ｅの一次的に係止されたコンタクトボディ４はコンタクトチャンバ１０２内でその全長で係止腕１０５とハウジング下側部分１１１の仕切り壁１１３との間で横から案内されており、それにより正確にポジショニングされている。錠止部材１０７はそれぞれ１つの中央のガイドキー１１９を有している。ガイドキー１１９はハウジング下側部分１１１とハウジング上側部分１１２との間でハウジング下側部分１１１のフラットなガイド溝１２０内で横方向でスライド可能に案内されている。
【図面の簡単な説明】
【００２３】
【図１】複数のコンタクトチャンバと、コンタクトチャンバ内にそれぞれ異なる深さで導入されているコンタクトと、そこで一次的に係止されているコンタクトと、二次的にも錠止されているコンタクトとを備えた、本発明の第１の実施形態によるコンタクトハウジングの縦断面図である。
【図２】図１に示した錠止部材の斜視図である。
【図３】複数のコンタクトチャンバと、コンタクトチャンバ内にそれぞれ異なる深さで導入されているコンタクトと、そこで一次的に係止されているコンタクトと、二次的にも錠止されているコンタクトとを備えた、本発明の第２の実施形態によるコンタクトハウジングの縦断面図である。
【図４】複数のコンタクトチャンバと、コンタクトチャンバ内にそれぞれ異なる深さで導入されているコンタクトと、そこで一次的に係止されているコンタクトと、二次的にも錠止されているコンタクトとを備えた、背景技術で公知のコンタクトハウジングの縦断面図である。
【符号の説明】
【００２４】
１  コンタクトハウジング
２  コンタクトチャンバ
３  装着開口
４  コンタクトボディ
５  係止腕
６  差込方向
７  錠止部材
８  クリンプ領域
９  線路
１０  係止切欠き
１１  ハウジング下側部分
１２  ハウジング上側部分
１３  仕切り壁
１４  係止フック
１５  仕切り壁
１６  第１の錠止突起
１７  ガイド面
１８  ガイド面
１９  ガイドキー
２０  ガイド溝
２１  第２の錠止突起
２２  肩部
２３  切欠き
１０１  コンタクトハウジング
１０２  コンタクトチャンバ
１０３  装着開口
１０５  係止腕
１０７  錠止部材
１１１  ハウジング下側部分
１１２  ハウジング上側部分
１１３  仕切り壁
１１４  係止フック
１１５  仕切り壁
１１６  錠止突起
１１７  ガイド面
１１８  ガイド面
１１９  ガイドキー
１２０  ガイド溝
ａ〜ｅ  列
【図１】
2007311346.tif 000003
【図２】
2007311346.tif 000004
【図３】
2007311346.tif 000005
【図４】
2007311346.tif 000006